(57)【要約】【課題】  ゴミを除去することが可能な負荷試験装置を提供する。【解決手段】  複数の抵抗器と、複数の抵抗器を保持する枠を有する抵抗部と、抵抗部に隣接し、抵抗器に冷却風を送る冷却ファンを有する冷却部とを備える。枠が保持する抵抗器の端子が突出する壁には、端子や壁を保護するカバーが設けられ、冷却部における端子が突出する壁と平行な前面と背面には、冷却風の吸気口が設けられ、吸気口と対向する部分には、負荷試験装置に接続された試験対象電源の負荷試験を行う時に開口し、抵抗器における枠から突出する部分のクリーニングを行う時に閉口する開閉装置が設けられ、負荷試験を行う時は、吸気口と対向する部分と吸気口を介して、冷却ファンの吸気が行われ、クリーニングを行う時は、カバーが移動することにより、端子が突出する壁と対向する部分が開口し、開口した部分と吸気口を介して、冷却ファンの吸気が行われる。【選択図】図８
2017049015.tif 000002
【特許請求の範囲】
【請求項１】
複数の抵抗器と、前記複数の抵抗器を保持する枠を有する抵抗部と、
前記抵抗部に隣接し、前記抵抗器に冷却風を送る冷却ファンを有する冷却部とを備えた負荷試験装置であって、
前記枠を構成する壁のうち、前記枠が保持する前記抵抗器の端子が突出する壁には、前記端子や前記壁を保護するカバーが設けられ、
前記冷却部における前記端子が突出する壁と平行な前面と背面には、前記冷却風の第１吸気口が設けられ、
前記第１吸気口と対向する部分には、前記負荷試験装置に接続された試験対象電源の負荷試験を行う時に開口し、前記抵抗器における前記枠から突出する部分のクリーニングを行う時に閉口する開閉装置が設けられ、
前記負荷試験を行う時は、前記第１吸気口と対向する部分と前記第１吸気口を介して、前記冷却ファンの吸気が行われ、
前記クリーニングを行う時は、前記カバーが移動することにより、若しくは前記カバーの一部が開口することにより、前記端子が突出する壁と対向する部分の少なくとも一部が開口し、前記端子が突出する壁と対向する部分における開口した部分と前記第１吸気口を介して、前記冷却ファンの吸気が行われることを特徴とする負荷試験装置。
【請求項２】
前記カバーが、前記開閉装置として使用されるものであり、
前記負荷試験を行う時に、前記カバーが、前記端子が突出する壁と対向する位置に移動して、前記端子が突出する壁を覆い、
前記クリーニングを行う時に、前記カバーが前記第１吸気口と対向する位置に移動して、前記第１吸気口と対向する部分を覆うことを特徴とする請求項１に記載の負荷試験装置。
【請求項３】
前記冷却部は、前記抵抗部の下部に配置され、
前記カバーは、上下方向に摺動可能な状態で保持され、
前記負荷試験を行う時に、前記カバーが、上方の所定位置に配置され、
前記クリーニングを行う時に、前記カバーが、下方の所定位置に配置されることを特徴とする請求項２に記載の負荷試験装置。
【請求項４】
前記冷却部における前記前面と垂直な側面に、前記冷却風の第２吸気口が設けられ、
前記第２吸気口には、前記負荷試験を行う時に開口し、前記クリーニングを行う時に閉口する開閉機構が設けられることを特徴とする請求項３に記載の負荷試験装置。
【請求項５】
前記カバーが、前記端子が突出する壁と対向する位置に配置された場合に、前記冷却ファンに負荷試験装置駆動用電源からの電流が流れ得るように、且つ前記抵抗器に前記試験対象電源からの電流が流れ得るように、スイッチ切替するリレーを有する第１検知部材と、
前記カバーが、前記第１吸気口と対向する位置に配置された場合に、前記冷却ファンに前記負荷試験装置駆動用電源からの電流が流れ得るように、且つ前記抵抗器に前記試験対象電源からの電流が流れないように、スイッチ切替されるリレーを有する第２検知部材とを更に備えることを特徴とする請求項２に記載の負荷試験装置。
【請求項６】
前記カバーを、前記端子が突出する壁と対向する位置と、前記第１吸気口と対向する位置に移動させるアクチュエータが設けられることを特徴とする請求項５に記載の負荷試験装置。
【請求項７】
前記カバーと、前記端子の間には、ルーバーが設けられることを特徴とする請求項１に記載の負荷試験装置。
【請求項８】
前記カバーと、前記開閉装置は、羽板の角度が調整可能なルーバーを有し、
前記負荷試験を行う時は、前記カバーのルーバーが閉じ、前記開閉装置のルーバーが開くことにより、前記第１吸気口と対向する部分と前記第１吸気口を介して、前記冷却ファンの吸気が行われ、
前記クリーニングを行う時は、前記カバーのルーバーが開き、前記開閉装置のルーバーが閉じることにより、前記端子が突出する壁と対向する部分における開口した部分と前記第１吸気口を介して、前記冷却ファンの吸気が行われることを特徴とする請求項１に記載の負荷試験装置。
【発明の詳細な説明】
【技術分野】
【０００１】
本発明は、負荷試験装置に関する。
【背景技術】
【０００２】
従来、特許文献１のように、発電機の負荷試験を行う乾式負荷試験装置が提案されている。
【先行技術文献】
【特許文献】
【０００３】
【特許文献１】特開２０１０−２５７５２号公報
【発明の概要】
【発明が解決しようとする課題】
【０００４】
乾式負荷試験装置では、複数の抵抗器が枠体に保持されるが、端子など抵抗器の一部は枠体から突出する。
枠体から突出した部分には、埃などのゴミが付着するおそれがある。
【０００５】
したがって本発明の目的は、抵抗器の枠体から突出する部分に付着したゴミを除去することが可能な負荷試験装置を提供することである。
【課題を解決するための手段】
【０００６】
本発明に係る負荷試験装置は、複数の抵抗器と、複数の抵抗器を保持する枠を有する抵抗部と、抵抗部に隣接し、抵抗器に冷却風を送る冷却ファンを有する冷却部とを備えた負荷試験装置であって、枠を構成する壁のうち、枠が保持する抵抗器の端子が突出する壁には、端子や壁を保護するカバーが設けられ、冷却部における端子が突出する壁と平行な前面と背面には、冷却風の第１吸気口が設けられ、第１吸気口と対向する部分には、負荷試験装置に接続された試験対象電源の負荷試験を行う時に開口し、抵抗器における枠から突出する部分のクリーニングを行う時に閉口する開閉装置が設けられ、負荷試験を行う時は、第１吸気口と対向する部分と第１吸気口を介して、冷却ファンの吸気が行われ、クリーニングを行う時は、カバーが移動することにより、若しくはカバーの一部が開口することにより、端子が突出する壁と対向する部分の少なくとも一部が開口し、端子が突出する壁と対向する部分における開口した部分と第１吸気口を介して、冷却ファンの吸気が行われる。
【０００７】
クリーニングモードの時に、吸気用の風が端子など、枠から突出した部材の近くを通るので、端子などに付着したゴミを当該吸気用の風で取り除くことが可能になる。
【０００８】
好ましくは、カバーが、開閉装置として使用されるものであり、負荷試験を行う時に、カバーが、端子が突出する壁と対向する位置に移動して、端子が突出する壁を覆い、クリーニングを行う時に、カバーが第１吸気口と対向する位置に移動して、第１吸気口と対向する部分を覆う。
【０００９】
さらに好ましくは、冷却部は、抵抗部の下部に配置され、カバーは、上下方向に摺動可能な状態で保持され、負荷試験を行う時に、カバーが、上方の所定位置に配置され、クリーニングを行う時に、カバーが、下方の所定位置に配置される。
【００１０】
さらに好ましくは、冷却部における前面と垂直な側面に、冷却風の第２吸気口が設けられ、第２吸気口には、負荷試験を行う時に開口し、クリーニングを行う時に閉口する開閉機構が設けられる。
【００１１】
また、好ましくは、カバーが、端子が突出する壁と対向する位置に配置された場合に、冷却ファンに負荷試験装置駆動用電源からの電流が流れ得るように、且つ抵抗器に試験対象電源からの電流が流れ得るように、スイッチ切替するリレーを有する第１検知部材と、カバーが、第１吸気口と対向する位置に配置された場合に、冷却ファンに負荷試験装置駆動用電源からの電流が流れ得るように、且つ抵抗器に試験対象電源からの電流が流れないように、スイッチ切替されるリレーを有する第２検知部材とを更に備える。
【００１２】
さらに好ましくは、カバーを、端子が突出する壁と対向する位置と、第１吸気口と対向する位置に移動させるアクチュエータが設けられる。
【００１３】
また、好ましくは、カバーと、端子の間には、ルーバーが設けられる。
【００１４】
また、好ましくは、カバーと、開閉装置は、羽板の角度が調整可能なルーバーを有し、負荷試験を行う時は、カバーのルーバーが閉じ、開閉装置のルーバーが開くことにより、第１吸気口と対向する部分と第１吸気口を介して、冷却ファンの吸気が行われ、クリーニングを行う時は、カバーのルーバーが開き、開閉装置のルーバーが閉じることにより、端子が突出する壁と対向する部分における開口した部分と第１吸気口を介して、冷却ファンの吸気が行われる。
【発明の効果】
【００１５】
以上のように本発明によれば、抵抗器の枠体から突出する部分に付着したゴミを除去することが可能な負荷試験装置を提供することができる。
【図面の簡単な説明】
【００１６】
【図１】本実施形態における負荷試験装置の構成を示す模式図である。
【図２】カバーを上方の所定位置に配置させた場合の負荷試験装置の斜視図である。
【図３】カバーを上方の所定位置に配置させた場合の負荷試験装置の正面図である。
【図４】図３のＡ−Ａ線断面図である。
【図５】抵抗器の端子の周囲を示す斜視図である。
【図６】カバーを下方の所定位置に配置させた場合の負荷試験装置の斜視図である。
【図７】カバーを下方の所定位置に配置させた場合の負荷試験装置の正面図である。
【図８】図７のＢ−Ｂ線断面図である。
【図９】図８における抵抗部と冷却部の境界部分を拡大させた断面図である。
【図１０】カバーを上下方向に移動させるアクチュエータを設けた場合の負荷試験装置の斜視図である。
【図１１】冷却部の側面を開口し、当該開口した部分に開閉機構を設けた場合の負荷試験装置の斜視図である。
【図１２】抵抗器の端子の前にルーバーを設けた形態で、カバーを下方の所定位置に配置させた場合の負荷試験装置の斜視図である。
【図１３】抵抗器の端子の前にルーバーを設けた形態で、カバーを下方の所定位置に配置させた場合の負荷試験装置の正面図である。
【図１４】図１３のＣ−Ｃ線断面図である。
【図１５】図１４における抵抗部と冷却部の境界部分を拡大させた断面図である。
【図１６】抵抗器の端子の前にルーバーを設けた形態で、抵抗器の端子の周囲を示す斜視図である。
【図１７】カバーと開閉装置がルーバーで構成された負荷試験装置で、負荷試験を行う時の断面構成図である。
【図１８】カバーと開閉装置がルーバーで構成された負荷試験装置で、クリーニングを行う時の断面構成図である。
【発明を実施するための形態】
【００１７】
以下、本実施形態について、図を用いて説明する。本実施形態における乾式の負荷試験装置１は、フレーム１０、抵抗部２０、冷却部３０、接続切り替え部４０を備える（図１〜図１１）。
【００１８】
なお、方向を説明するために、接続切り替え部４０とフレーム１０が並べられる水平方向をｘ方向、ｘ方向に垂直な水平方向をｙ方向、ｘ方向とｙ方向に垂直な鉛直方向をｚ方向として説明する。
【００１９】
フレーム１０は、上段に抵抗部２０を収容し、下段に冷却部３０を収納する。また、フレーム１０の側部には、接続切り替え部４０が設けられる。フレーム１０の下部には、キャスター（不図示）が設けられる形態であってもよい。
【００２０】
フレーム１０の前面と背面（抵抗部２０を構成する抵抗器Ｒの端子６３が見える面）は、端子６３や、端子６３に接続されたケーブルや短絡バーや、抵抗器Ｒを保持する枠２１を構成する壁のうち、端子６３が突出する壁を保護する端子覆い部１１が設けられる（図２参照）。
端子覆い部１１は、鉄やアルミニウムなどの導電性材料で構成される。
【００２１】
端子覆い部１１は、フレーム１０の側面と上面と下面からｙ方向に延びる囲い面１１ａ、囲い面１１ａの内周面に設けられた溝１１ｂ、ｚ方向に摺動可能な状態で溝１１ｂに保持されるカバー１１ｃ、カバー１１ｃの端子６３と対向する面と反対側の面に設けられ、カバー１１ｃのｚ方向の移動に用いられる取っ手１１ｄ、カバー１１ｃのｚ方向の位置に応じて状態が変化する検知部１１ｅを有する。
【００２２】
本実施形態では、囲い面１１ａは、フレーム１０と一体で構成される形態を示すが、別体で構成される形態であってもよい。
【００２３】
負荷試験装置１に接続された試験対象電源の負荷試験を行う時、カバー１１ｃは上方に配置され（図２〜図４参照）、枠２１が保持する抵抗器Ｒの端子６３が突出する壁や、端子６３など当該壁から突出する部材に付着したゴミを除去するクリーニングを行う時、カバー１１ｃは下方に配置される（図６〜図９参照）。
【００２４】
カバー１１ｃが下方の所定位置（下端）に配置された時に、フレーム１０の前面及び背面の下部における冷却部３０の冷却風導入用の吸気口（第１吸気口１０ａ１）とｙ方向で対向する部分（端子覆い部１１における第１吸気口１０ａ１とｙ方向で対向する部分（下層部）１２）を隠すように、カバー１１ｃのｚ方向の寸法は、第１吸気口１０ａ１のｚ方向の寸法よりも長くなるように設定される。
また、カバー１１ｃが上方の所定位置（上端）に配置された時に、第１吸気口１０ａ１と重なり合う部分が無いように、カバー１１ｃのｚ方向の寸法が決定される。
【００２５】
検知部１１ｅは、カバー１１ｃが上方の所定位置（上端）に位置する場合に状態が変化する第１検知部材１１ｅ１と、カバー１１ｃが下方の所定位置（下端）に位置する場合に状態が変化する第２検知部材１１ｅ２を有する。
【００２６】
たとえば、第１検知部材１１ｅ１は、カバー１１ｃが上方の所定位置に配置された場合に、冷却部３０の冷却ファンに負荷試験装置駆動用電源からの電流が流れ得るように、且つ抵抗部２０の抵抗器群に試験対象電源からの電流が流れ得るように、スイッチ切替されるリレーを有し、第２検知部材１１ｅ２は、カバー１１ｃが下方の所定位置に配置された場合に、冷却部３０の冷却ファンに負荷試験装置駆動用電源からの電流が流れ得るように、且つ抵抗部２０の抵抗器群に試験対象電源からの電流が流れないように、スイッチ切替されるリレーを有する形態が考えられる。
【００２７】
ただし、検知部１１ｅは、カバー１１ｃのｚ方向の位置を検出するセンサーと、当該センサーからの出力信号に応じて、負荷試験装置駆動用電源から冷却部３０の冷却ファンへ流れる電流、及び試験対象電源から抵抗部２０の抵抗器群へ流れる電流を制御する制御装置とで構成される形態であってもよい。
【００２８】
本実施形態では、カバー１１ｃは、取っ手１１ｄなどを持って、使用者の手動でｚ方向に移動制御される形態を説明するが、カバー１１ｃを電動でｚ方向に移動制御するアクチュエータ１１ｆを設ける形態であってもよい（図１０参照）。
この場合であって、後述するモード切替スイッチ４１ａの回転位置を、試験対象電源の種類に対応した回転位置（動作モード）に合わせた場合に、アクチュエータ１１ｆによって、カバー１１ｃが上方の所定位置に配置され、モード切替スイッチ４１ａの回転位置を、クリーニングモードに合わせた場合に、アクチュエータ１１ｆによって、カバー１１ｃが下方の所定位置に配置される。
【００２９】
抵抗部２０は、ｙ方向に平行な棒状の抵抗器Ｒがｘ方向に所定の間隔を空けて複数本並べられた抵抗器列が、ｚ方向に複数段並べられたもので、端子接続部４３と真空遮断器４５を介して接続された発電機などの試験対象電源の負荷試験を行うために用いられる。抵抗器Ｒは試験対象電源からの電力供給を受ける。
【００３０】
本実施形態では、抵抗器Ｒは、ｘ方向に５本並べられた抵抗器列が、ｚ方向に８段並べられる。ただし、各抵抗器列に並べられる抵抗器Ｒの本数や、抵抗器列が積み重ねられる段数は、これに限るものではない。
【００３１】
抵抗部２０を構成する抵抗器Ｒにおいて、近接する複数の抵抗器Ｒを、１つの抵抗器群とし、試験対象電源からの電圧印加を行う抵抗器群の数を変えながら、負荷試験が行われる。
また、負荷試験対象の電源の種類に応じて、抵抗器群内の接続（抵抗器群内の抵抗器Ｒの接続状態）が変えられる形態があってもよい。
【００３２】
抵抗器Ｒは、抵抗線（不図示）、抵抗線と電気的に接続され抵抗線の両端に設けられた端子６３、第１絶縁部材６５ａを介して端子６３を保持し抵抗線や端子６３の一部（枠２１を構成する壁から外側に露出しない部分）の側面を覆う円筒部６７を有する（図５、図９参照）。
なお、図４、図８は、第１絶縁部材６５ａや第２絶縁部材６５ｂを省略している。
円筒部６７の側面には、放熱用フィン６９が設けられる。
【００３３】
抵抗器Ｒの端子６３は、他の抵抗器Ｒの端子６３と短絡バー（不図示）で接続されたり、ケーブル（不図示）を介して端子接続部４３やリレーに接続されたりする。
【００３４】
抵抗器Ｒは、４つの壁で構成された枠２１で側面が覆われる。
【００３５】
抵抗器Ｒにおける端子６３と導通しない箇所（第１絶縁部材６５ａを介して、端子６３を保持する円筒部６７の両端近傍など）が、第２絶縁部材６５ｂを介して、当該枠２１を構成する壁に保持される。
【００３６】
図５は、枠２１に保持された４つの抵抗器Ｒの端子６３を示す。
【００３７】
また、枠２１は、下部に設けられた冷却部３０からの冷風を上部に流すために、上面と下面が開口する。
【００３８】
冷却部３０による冷却を効率良く行うために、抵抗器列を構成する抵抗器Ｒと当該抵抗器Ｒとｘ方向に隣接する抵抗器Ｒの中間の位置に、ｚ方向に隣接する抵抗器列の抵抗器Ｒが配置されるように、各抵抗器列の抵抗器Ｒが配列される。
【００３９】
抵抗部２０の下部（フレーム１０の下段）には、冷却ファンを有する冷却部３０が設けられる。
フレーム１０の下段における端子６３が突出するｘｚ面（前面と背面）がある側は、冷却風の吸気のために開口する第１吸気口１０ａ１が設けられ、当該ｘｚ面に垂直なｙｚ面（側面）がある側は閉口する。
なお、フレーム１０の下段におけるｙｚ面（前面と垂直な側面）がある側も開口して第２吸気口１０ａ２が設けられる形態であってもよい。ただし、クリーニングを行う際に、当該側面の第２吸気口１０ａ２が閉口するような開閉機構１０ｂを有する必要がある（図１１参照）。
【００４０】
冷却部３０や、抵抗部２０における抵抗器群ごとに設けられ、試験対象電源から抵抗器群のいずれかへの電力供給を制御するリレーは、試験対象電源とは別の電源（負荷試験装置駆動用電源）で駆動される（図１参照）。
【００４１】
接続切り替え部４０は、操作部４１、端子接続部４３を有する（図３、図７参照）。端子接続部４３は、操作部４１と離れた位置（例えば、操作部４１の背面など）に配置される形態であってもよい。
【００４２】
操作部４１は、モード切替スイッチ４１ａ、抵抗切替スイッチ４１ｂを有する。
【００４３】
モード切替スイッチ４１ａは、ロータリー式の操作スイッチで、負荷試験装置１のオンオフや、負荷試験の対象の電源の種類を選択したりクリーニングモードに切替したりする（モード切替する）ために使用される。
【００４４】
抵抗切替スイッチ４１ｂは、スライド式（若しくはトグル式若しくは押しボタン式）の操作スイッチで、抵抗器群それぞれのリレーのオンオフ制御を行うためのスイッチである。操作スイッチの１つをオン状態にすると、対応する抵抗器群のリレーがオン状態（導通状態）にされて、当該抵抗器群に、端子接続部４３を介して負荷試験装置１に接続された試験対象電源からの電流が流れうる状態にされる。
【００４５】
モード切替スイッチ４１ａの回転位置を、試験対象電源の種類に対応した回転位置（動作モード）に合わせた場合であって、カバー１１ｃが上方の所定位置に配置された場合に、冷却部３０の冷却ファンは駆動され、抵抗切替スイッチ４１ｂの操作状態に基づき抵抗器群それぞれのリレーのオンオフ制御が行われる。
【００４６】
この場合、端子覆い部１１における端子６３が突出する壁とｙ方向で対向する部分（上層部）１３は、カバー１１ｃによって閉口され、端子覆い部１１における第１吸気口１０ａ１とｙ方向で対向する部分（下層部）１２が開口する。
【００４７】
すなわち、試験対象電源の負荷試験を行う時は、端子覆い部１１における第１吸気口１０ａ１とｙ方向で対向する部分（下層部）１２と第１吸気口１０ａ１を介して、吸気が行われることになり、端子６３など、枠２１からｙ方向に突出した部材に、吸気用の風が通らない（図４の太字点線矢印参照）。
【００４８】
モード切替スイッチ４１ａの回転位置を、クリーニングモードに合わせた場合であって、カバー１１ｃが下方の所定位置に配置された場合に、抵抗器群それぞれのリレーと真空遮断器４５の少なくとも一方がオフ状態で、冷却部３０の冷却ファンが駆動される。
【００４９】
この場合、端子覆い部１１における第１吸気口１０ａ１とｙ方向で対向する部分（下層部）１２は、カバー１１ｃによって閉口され、端子覆い部１１における端子６３が突出する壁とｙ方向で対向する部分（上層部）１３が開口する。
【００５０】
すなわち、枠２１が保持する抵抗器Ｒの端子６３が突出する壁や、端子６３など当該壁から突出する部材に付着したゴミを除去するクリーニングを行う時は、端子覆い部１１における端子６３が突出する壁とｙ方向で対向する部分（上層部）１３と第１吸気口１０ａ１を介して（前面と背面の上方を経由して）、吸気が行われることになり、端子６３など、枠２１からｙ方向に突出した部材に、吸気用の風が通ることになる（図８、図９の太字点線矢印参照）。
また、抵抗器群それぞれのリレーと真空遮断器４５の少なくとも一方がオフ状態にされるため、抵抗器群のそれぞれに、端子接続部４３を介して負荷試験装置１に接続された試験対象電源からの電流は流れない。
【００５１】
なお、主電源スイッチを設け、主電源スイッチがオン状態で且つモード切替スイッチ４１ａの回転位置を試験対象電源の種類に対応した回転位置（動作モードやクリーニングモード）に合わせた場合に、冷却ファンの駆動や抵抗器群それぞれのリレーのオンオフ制御が行われる形態であってもよい。
【００５２】
端子接続部４３は、試験対象の電源を接続するための端子で、端子接続部４３と真空遮断器４５を介して、試験対象電源と抵抗部２０の抵抗器群とが接続可能な状態にされる。
【００５３】
本実施形態では、クリーニングモードの時に、吸気用の風が端子６３など、枠２１からｙ方向に突出した部材の近くを通るので、端子６３などに付着したゴミを当該吸気用の風で取り除くことが可能になる。
取り除かれたゴミは、フレーム１０の上面の開口から、排出される。
【００５４】
本実施形態では、カバー１１ｃが下方の所定位置に配置された場合に、端子６３など枠２１からｙ方向に突出した部材に、吸気用の風が直接的に当たる形態を説明したが、カバー１１ｃと端子６３の間に、ｘ方向に延びる羽板を、隙間を空けてｚ方向に並べたルーバー（ガラリ）１１ｇを設け、ルーバー１１ｇが囲い面１１ａに取り付けられ、吸気用の風がルーバー１１ｇを介して端子６３など枠２１からｙ方向に突出した部材に当たる形態であってもよい（図１２〜図１６参照）。
ルーバー１１ｇが設けられることにより、抵抗部２０の上方にも吸気用の風が送り込まれやすくなり、上方の端子６３等に付着した埃を取り除きやすく出来る。
【００５５】
また、本実施形態では、カバー１１ｃがｚ方向に摺動可能な状態で、囲い面１１ａに保持され、下方の所定位置（端子覆い部１１における第１吸気口１０ａ１とｙ方向で対向する部分（下層部）１２）や、上方の所定位置（端子覆い部１１における端子６３が突出する壁とｙ方向で対向する部分（上層部）１３）に移動する形態を説明したが、移動方法は、摺動に限るものではない。
たとえば、ｘ方向に平行な回転軸を中心に回転して、カバー１１ｃが移動する形態であってもよい。
【００５６】
また、本実施形態では、端子６３や枠２１における端子６３が突出する壁を保護するカバー１１ｃが移動して、端子覆い部１１における第１吸気口１０ａ１とｙ方向で対向する部分（下層部）１２を閉口する形態を説明したが、カバー１１ｃと別の開閉装置１１ｈが、端子覆い部１１における第１吸気口１０ａ１とｙ方向で対向する部分（下層部）１２について、負荷試験を行う時に開口し、クリーニングを行う時に閉口する形態であってもよい。
たとえば、カバー１１ｃ及び開閉装置１１ｈが、羽板の角度が調整可能なルーバーで構成され、負荷試験を行う時（図１７参照）には、カバー１１ｃのルーバーが閉じ、開閉装置１１ｈのルーバーが開き、クリーニングを行う時（図１８参照）には、カバー１１ｃのルーバーが開き、開閉装置１１ｈのルーバーが閉じる形態が考えられる。
【００５７】
また、本実施形態では、冷却部３０の上に抵抗部２０が積み重ねられる形態を説明したが、冷却部３０と抵抗部２０が横に並べられる形態であってもよい。
【符号の説明】
【００５８】
１  負荷試験装置
１０  フレーム
１０ａ１、１０ａ２  第１吸気口、第２吸気口
１０ｂ  開閉機構
１１  端子覆い部
１１ａ  囲い面
１１ｂ  溝
１１ｃ  カバー
１１ｄ  取っ手
１１ｅ  検知部
１１ｅ１、１１ｅ２  第１検知部材、第２検知部材
１１ｆ  アクチュエータ
１１ｇ  ルーバー
１１ｈ  開閉装置
１２  端子覆い部における第１吸気口とｙ方向で対向する部分（下層部）
１３  端子覆い部における端子が突出する壁とｙ方向で対向する部分（上層部）
２０  抵抗部
２１  枠
３０  冷却部
４０  接続切り替え部
４１  操作部
４１ａ  モード切替スイッチ
４１ｂ  抵抗切替スイッチ
４３  端子接続部
４５  真空遮断器
６３  端子
６５ａ、６５ｂ  第１絶縁部材、第２絶縁部材
６７  円筒部
Ｒ  抵抗器
【図１】
2017049015.tif 000003
【図２】
2017049015.tif 000004
【図３】
2017049015.tif 000005
【図４】
2017049015.tif 000006
【図５】
2017049015.tif 000007
【図６】
2017049015.tif 000008
【図７】
2017049015.tif 000009
【図８】
2017049015.tif 000010
【図９】
2017049015.tif 000011
【図１０】
2017049015.tif 000012
【図１１】
2017049015.tif 000013
【図１２】
2017049015.tif 000014
【図１３】
2017049015.tif 000015
【図１４】
2017049015.tif 000016
【図１５】
2017049015.tif 000017
【図１６】
2017049015.tif 000018
【図１７】
2017049015.tif 000019
【図１８】
2017049015.tif 000020